(57)【要約】【課題】  下方を開放した外キャビネット内にスライド自在に内キャビネットを設けた昇降式吊り戸棚においては、内キャビネット内の棚板は、両側板の掛止突起に取り外し自在に載せるようにするのが一般的であった。しかし、内キャビネットは前面は開口しているので、剛性に不足することがあるのを補強する必要があった。【解決手段】  内キャビネット３の両側板３４、３４間の前後端部に少なくとも一対の金属製のフレーム３５、３６を取り付け、このフレーム３５、３６に棚板３２を取り外し自在に設け、背面側のフレーム３６に背板の一部となる起立片３６ｄを設けるようにした。【選択図】  図２
2006000677.tif 000002
【特許請求の範囲】
【請求項１】
下方を開放した外キャビネット内にスライド自在に前面を開放した内キャビネットを設け、内キャビネットを昇降させる駆動装置を設けた昇降式吊り戸棚において、
内キャビネットの両側板間の前後端部に複数対の金属製のフレームを取り付け固定し、
中段及び下段のフレームには棚板の前後端縁を架設し、
中段及び下段の背面側のフレームには背板の一部となる起立片を設けるようにしたことを特徴とする昇降式吊り戸棚。
【請求項２】
中段及び下段の背面側のフレーム本体の外側面は上下にそのまま延設するようようにし、上部は背板の一部となる起立片とし、この起立片の端部は二股にして構成して背板の縁を受け入れる被掛止部とし、下部には垂下片を連接し、この垂下片の内側に溝条を形成するよう短い内垂下片を形成し、この溝条には背板の上端縁を嵌め込むようにしたことを特徴とする請求項１記載の昇降式吊り戸棚。
【請求項３】
上段及び側板の前端に配置する金属製のフレームはフレーム本体の外側端より垂下片を連接し、この垂下片の背面に溝条を形成すべく短い間隔をもって内垂下片を形成したことを特徴とする請求項２記載の昇降式吊り戸棚。
【発明の詳細な説明】
【技術分野】
【０００１】
この発明は、システムキッチンの一部を構成するウオールキャビネットや流し台、調理台、ガス台の上部に一連に配置される吊り戸棚の一部或いは全部に採用される昇降式吊り戸棚に関するものである。
そして、昇降式吊り戸棚をアイレベルに下降させることで食器収納庫として、また食器収納乾燥庫として有効に活用することができるようにしたものである。
また、この昇降式吊り戸棚を、シンク或いは食器洗浄機に近接して配置することで、シンク回りをすっきりさせ見栄えを良くすると共に、調理作業の効率を図ることができるのである。
すなわち、従来は洗浄済の濡れた食器や調理器具をカウンターに置かれる網籠やシンクに掛け渡した水切りプレートに並べて乾燥させていたので、厨房家具における調理面、カウンター面を狭くしがちであったからである。
【背景技術】
【０００２】
従来よりシステムキッチンなどの厨房家具の上部には壁面或いは天井に吊り下げ固定する収納庫としての吊り戸棚を配置するようにしていた。
吊り戸棚は上部で、出し入れが面倒となるので、使用頻度の低い調理器具や食器などを納めることが多かった。そして、吊り戸棚の奥や上部に多くの物品を乱雑に納めてしまうと、目が届かないのでその儘失念してしまうことにもなりかねなかった。
日常頻繁に用いる食器や小型の鍋、箸、スプーンを流し台、食器洗浄機に近接して乾燥させつつ収納しておくのは、使い勝手の面から望ましい。
そこで、吊り戸棚の有効活用を図るために、吊り戸棚を全体として昇降自在としたり、吊り戸棚内に手前に旋回下降することのできるプラスチック製のラックを収納し、扉を開けアイレベルまでラックを旋回下降させる構造の吊り戸棚が提案され、実用化されている。
【０００３】
さらには、下方を開放した外キャビネット内に、スライド自在に内キャビネットを設け、内キャビネットを昇降させる駆動装置と内キャビネットに臨む乾燥機を設けて乾燥庫として吊り戸棚が提案されている。
【特許文献１】特開平１１−９３５５号
【特許文献２】特開平１１−２０６４７５号
【特許文献３】特開平１１−２０６４７６号
【特許文献４】特開平１１−２０６４７７号
【特許文献５】特開平１１−２２９７９１号
【特許文献６】特開平１１−２２９８００号
【０００４】
この昇降式吊り戸棚１は、概略図８、図９に示す通りのもので、外キャビネット２と内キャビネット３からなり、それらの両側面の向き合う面に互いに嵌り合うスライドガイド２１、３１を設けてあり、内キャビネット３を昇降させるための駆動装置４は外キャビネット２の天板の下面に配置された支持部材に取り付けられた減速機構を組み込んだモータ４１と、このモータ４１の出力軸に固定された主動歯車４２、この主動歯車４２に噛合させ相互に反転可能な従動歯車４３、４３と、夫々の従動歯車４３、４３の回転軸に固定されたプーリ４４、４４と、両側に配置されたガイドプーリ４５、４５と、プーリ４４、４４に一端を固定し、他端をガイドプーリ４５、４５を介して内キャビネット３の天板に固定したベルト４６、４６とからなるものである。
【０００５】
内キャビネット３の支持部材には乾燥機５を設けてある。この乾燥機５はヒータとファンからなるもので、内キャビネット３の内部に温風を供給して、内部に納める食器や調理用具を乾燥させる。
この乾燥機５は内キャビネット３の天板に穿った開口に臨むよう設けてある。
【発明の開示】
【発明が解決しようとする課題】
【０００６】
この発明は、このような従来の昇降式吊り戸棚１において、内キャビネット全体の剛性を図る構造を提供する目的で開発したものである。
すなわち、従来の形態では内キャビネットの両側板に掛止突起を設け、ここに棚板を取り外し自在に載せるようにするのが一般的であった。
このような構造であると、内キャビネットの前面が開放しているので、全体としての剛性が不足することになっていた。棚板を嵌め込むようにすれば剛性の不足を補うものの、清掃のためなどに外すこともあり全体として変形する恐れを払拭できなかった。
また、吊り戸棚全体として間口が広い構造とすると、内キャビネット内の棚板が両側で支承されるだけであると、棚板中央が収納物の重みで撓むことになっていた。
【課題を解決するための手段】
【０００７】
上述の課題を解消するためこの請求項１の発明の要旨とするのは、下方を開放した外キャビネット内にスライド自在に前面を開放した内キャビネットを設け、内キャビネットを昇降させる駆動装置を設けた昇降式吊り戸棚において、内キャビネットの両側板間の前後端部に複数対の金属製のフレームを取り付け固定し、中段及び下段のフレームには棚板の前後端縁を架設し、中段及び下段の背面側のフレームには背板の一部となる起立片を設けるようにしたことを特徴とする。
【０００８】
請求項２の発明の要旨とするのは、中段及び下段の背面側のフレーム本体の外側面は上下にそのまま延設するようようにし、上部は背板の一部となる起立片とし、この起立片の端部は二股にして構成して背板の縁を受け入れる被掛止部とし、下部には垂下片を連接し、この垂下片の内側に溝条を形成するよう短い内垂下片を形成し、この溝条には背板の上端縁を嵌め込むようにしたことを特徴とするものである。
請求項３の発明の要旨とするのは、上段及び側板の前端に配置する金属製のフレームはフレーム本体の外側端より垂下片を連接し、この垂下片の背面に溝条を形成すべく短い間隔をもって内垂下片を形成したことを特徴とするものである。
【発明の効果】
【０００９】
この発明は以上のような構成からなるもので、請求項１の発明では、内キャビネットの両側板間の前後端部に複数対の金属製のフレームを取り付けるようにしたので、内キャビネットの前面が開放していてもフレームにて剛性を備えることができるのである。中段及び下段の背面側のフレームには背板の一部となる起立片を設けるようにしたので、背板に多数の小孔を穿ったものを用いても、この起立片により箸やフォークの先端が入り込むのを防ぐことができるのである。
【００１０】
請求項２の発明では、中段及び下段の背面側のフレーム本体の外側面は上下にそのまま延設するようようにし、上部は背板の一部となる起立片とし、この起立片の端部は二股にして構成して背板の縁を受け入れる被掛止部とし、下部には垂下片を連接し、この垂下片の内側に溝条を形成するよう短い内垂下片を形成し、この溝条には背板の上端縁を嵌め込むようにしたので、背板は嵌め込むのみで形成できることになる。
請求項３の発明では、上段及び側板の前端に配置する金属製のフレームはフレーム本体の外側端より垂下片を連接し、この垂下片の背面に溝条を形成すべく短い間隔をもって内垂下片を形成したので、棚板を受けるばかりではなく、溝条には前幕板を嵌め込んだり（図１、図６参照）、側板と天板の連結部材及び天板、側板と背板の連結部材として用い、部材の共通化を図ることができるのである。
【発明を実施するための最良の形態】
【００１１】
以下図面に示すこの発明の実施の形態に即して説明する。
昇降装置及び乾燥機は、従来のものとほぼ同様な構成のものとするので、詳細な説明は省略する。
図１は昇降式吊り戸棚１の内キャビネット３を下降させた状態の正面図、図２は同じく下降させ、外キャビネット２の前面扉を開いた状態の概略断面図である。
外キャビネット２は下方を開放したもので、前面上部には幕板２３及び矩形の枠に透光性を備えたプラスチック或いはガラスを嵌め込んだ開閉自在な扉２４を設けてある。幕板２３の左右にはルーバー或いは穴を穿って昇降装置のモータの熱を逃がすようにしてある。透光性を備えた部材を嵌め込んだのは内部への収納状態を透かして確認できるようにするためである。
内キャビネット３は、天井或いは壁面に固定される外キャビネット２内で昇降するもので、前面を開口させ、内部には取り外し自在な棚板３２を一乃至複数段設けるようにしてある。
その天板３３上にはヒータ及びファンからなる乾燥機５を載置して、内部に温風を供給するようになっている。
【００１２】
内キャビネット３の下面奥長手方向には、手暗がりを避けるための蛍光灯などの照明器具６を設けるようにしてある。
そして、内キャビネット３の下面手前側には、比較的大型でコ字状をなし、握り部位が断面円形或いは楕円形というように握り易いように、しかも、内キャビネット３の前面より突出しないようにした操作ハンドル７を設けるようにする。
【００１３】
この操作ハンドル７の中央前面には、突出する起倒自在な操作スイッチ８を設けてある。この操作スイッチ８は常態では床面と平行となって停止するようになっており、起倒するとスイッチが投入されるようになっており、起すと内キャビネット３を上昇させ、倒すと内キャビネット３が下降するように内キャビネット３の昇降動作に合わせて上下させるようにしてある。
さらに、この操作ハンドル７の一側前面には、乾燥機５及び照明器具６用のタッチパネル式などで構成したスイッチ群９、９や必要に応じて乾燥機５の作動状態を表わす表示ランプなどを設けるようにしている。
なお、内キャビネット３の昇降手段は、これまでの説明に限定されず、例えば手動であったり、上昇させるための補助手段としてガススプリングなどを用いるものであってもよい。
【００１４】
この内キャビネット３は、概略図１及び図３に示すように側板３４、３４の前後に複数対の金属製のフレーム３５、３５、３６、３６を取り付け固定し、フレーム３５、３６に棚板３２の前後端縁を架設し、フレーム３６には背板３７を嵌め込むようにしてある。
この金属製のフレーム３５、３６は、望ましくはアルミニウムの押出成形品から形成されるものである。
フレーム３５は前述のように、ほぼ断面方形をなすフレーム本体３５ａの内側面中央に短い突条からなる棚受け３５ｂを設け、この棚受け３５ｂと平行し断面Ｌ型をなす長い棚受け３５ｃを延設するようにし、フレーム本体３５ａの外側端より垂下片３５ｄを連設し、この垂下片３５ｄの背面に溝条３５ｅを形成すべく短い間隔をもって短い内垂下片３５ｆを形成してある。
また、フレーム本体３５ａの内部に長手方向を切り欠いてなる筒体３５ｇ、３５ｇを設け、その端部にめねじ（図示せず）をきって側板３４の外側からビスをねじ込み止められるようにしてある。
【００１５】
フレーム３６は、側板３４の後端に配置し、棚板３２の奥端を支持すると共に、背板３７を嵌め込むようにするものである。
フレーム３６は、ほぼ断面方形をなすフレーム本体３６ａの、内側面中央に短い突条からなる棚受け３６ｂを設け、この棚受け３６ｂと平行し断面Ｌ型をなすような棚受け３６ｃを延設するようにし、フレーム本体３６ａの外側面は上下にその儘延設するようにし、上部は背板の一部となる起立片３６ｄとし、この起立片３６ｄの端縁は二股に構成して背板３７の縁を受け入れる被掛止部３６ｅとし、下部には、垂下片３６ｆを連設し、この垂下片３６ｆの内側に溝条３６ｇを形成するようフレーム本体３６ａより短い内垂下片３６ｈを形成してある。溝条３６ｇには背板３７の上端縁を嵌め込むようにする。
また、フレーム本体３６ａの内部には、長手方向を切り欠いてなる筒体３６ｉ、３６ｉを設け、これら筒体３６ｉの両端部にはめねじ（図示せず）をきって側板３４の外側からビスをねじ込み止めるようにしてある。
【００１６】
棚板３２は、その前端及び後端を夫々フレーム３５、３６の棚受け３５ｂ、３６ｂに架設させ掛け止めるようにするもので、清掃などの便宜に配慮して取り外し自在としてある。
昇降式吊り戸棚１を乾燥庫とする場合には、棚板３２は、パンチングメタルや網籠体などにて構成して空気が上下に流れるようにする。
下段の棚板３２には規則的な丸穴や溝穴を穿ち、ここに金属線材をコ字状に屈曲して形成する皿立て３２ａを櫛比するように渡してある。図示しないが、必要に応じて箸立てなどを取り外し自在に設けるようにする。
最下段の棚板３２の下には傾斜する水受皿３８をフレーム３５、３６の下の棚受け３５ｃ、３６ｃに渡すようにしてある。水受皿３８で集められた水は、内キャビネット３の前面より引き出し自在な集水トレー３９に導かれ、捨てられるようになっている。
【００１７】
図４は、フレーム３５、３５を側板３４の上端の前後に配置して天板３３を棚板のように取り付ける様子を示すもので、フレーム３５は棚板を受けるばかりでなく、側板３４と天板３３の連結部材及び天板３３、側板３４と背板３７の連結部材として用い、部材の共通化を図ることができることを明らかにする。
勿論、フレーム３５、３６を側板３４、３４の前後に渡して棚板３２を架設するのみに用いるようにすることもできる。
【００１８】
図５は、内キャビネット３の側板３４、３４（図示せず）の前後に取り付け固定するフレーム３５、３６及び背板３７の別の実施の形態を示すものである。
前述のフレーム３５、３６とは形状は異なるものの、アルミニウムの押出成形品で形成するのが好適なもので、機能的には同一であるので相当する箇所に同一の符号を付して詳細な説明は省略する。
背板３７は、部屋の中央に流し台を含む厨房家具が配置される対面キッチンや壁面に向かって流し台を含む厨房家具が配置されるものの窓がある場合に、採光に配慮して前面に多数の小孔３７ａを穿ったものとしたものを示す。
この実施の形態ではフレーム３６に背板３７を嵌め込み、背板の一部ともなる起立片３６ｄを高くしたことで、背板３７が小孔３７ａを穿ったものであっても箸やフォークのように長いもので先端が小孔３７ａに入りがちであっても阻止することができるので、内キャビネットが上昇するときに挟まったりして支障を来したり、故障の原因となることを防ぐことができる。
【００１９】
図６、図７は別の実施の形態に係るもので、図６は扉２４を外した状態の昇降式吊り戸棚１を、図７は内キャビネット３を示すものである。
これは全体として間口を広くし、内キャビネット３の最下段の棚板３２の下に配置する水受皿３８を一側端部に傾斜するような構成とし、集水トレー３９も合わせて側端部に設けるようにしたものである。
このように間口が広いものであるので、棚板３２は複数に分割して着脱し易いようにしている。
これまでの実施例では複数段の棚板３２を設けるようにしているが、棚板３２は一段のものであってもよい。
【図面の簡単な説明】
【００２０】
【図１】この発明に係る昇降式吊り戸棚の正面図である。
【図２】図１の概略縦断面図である。
【図３】フレーム３５、３６の取り付け状態を示す端面図である。
【図４】フレーム３５への天板３３への取り付け状態を示す断面図である。
【図５】この発明の別の実施の形態を示す要部斜視図である。
【図６】さらに別の実施の形態を示す扉２４を外した状態の斜視図である。
【図７】図６の内キャビネット３の要部正面図である。
【図８】従来の昇降式吊り戸棚の斜視図である。
【図９】従来の昇降式吊り戸棚の昇降機構の要部を示す断面図である。
【符号の説明】
【００２１】
１  昇降式吊り戸棚
２  外キャビネット
３  内キャビネット
３２  棚板
３４  側板
３５  フレーム
３６  フレーム
３７  背板
４  駆動装置
５  乾燥機
【図１】
2006000677.tif 000003
【図２】
2006000677.tif 000004
【図３】
2006000677.tif 000005
【図４】
2006000677.tif 000006
【図５】
2006000677.tif 000007
【図６】
2006000677.tif 000008
【図７】
2006000677.tif 000009
【図８】
2006000677.tif 000010
【図９】
2006000677.tif 000011